【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】
通信ネットワークを介してユーザからのアプリケーションサービスプロバイダ（ＡＳＰ）処理要求を受信するステップと、
前記処理要求を処理するＡＳＰを選択するステップと、
前記通信ネットワークを介して、前記処理要求を実行する指令を前記選択されたＡＳＰに送信するステップと、
を備えることを特徴とするＡＳＰ及びＡＳＰユーザ間のＡＳＰ処理管理方法。
【請求項２】
ＡＳＰ処理要求の前記受信ステップは、前記ユーザからユーザ識別子を受信し、
受信した前記ユーザ識別子に対する文書プロファイルが存在するかどうかを判別するステップと、
文書プロファイルが存在するかどうかの前記判別に基づいて、前記ユーザに文書マネジャーインターフェーススクリーンを送信するステップと、をさらに備える、
ことを特徴とする請求項１に記載のＡＳＰ処理管理方法。
【請求項３】
文書プロファイルが存在するかどうかを判別する前記ステップは、文書プロファイルが存在するかどうかを判別するステップを実行する処理デバイスに対してローカルなメモリに、前記ユーザ識別子に対応する文書プロファイルを配置することにより、文書プロファイルが確実に存在することを決定する、
ことを特徴とする請求項２に記載のＡＳＰ処理管理方法。
【請求項４】
文書マネジャーインターフェーススクリーンを送信する前記ステップは、前記メモリに配置される前記文書プロファイルを掲示する文書プロファイルメニューを含むインターフェーススクリーンを送信する、
ことを特徴とする請求項３に記載のＡＳＰ処理管理方法。
【請求項５】
前記文書プロファイルメニューへのユーザ入力に基づいて、前記通信ネットワークを介して前記ユーザから文書プロファイル選択を受信するステップをさらに備える、
ことを特徴とする請求項４に記載のＡＳＰ処理管理方法。
【請求項６】
ＡＳＰを選択する前記ステップは、受信した前記文書プロファイル選択を使用して基本ＡＳＰを選択する、
ことを特徴とする請求項５に記載のＡＳＰ処理管理方法。
【請求項７】
基本ＡＳＰを選択する前記ステップは、
受信した文書プロファイル選択を使用して文書タイプを判別するステップと、
前記文書タイプと共に利用されるサービス実行する前記基本ＡＳＰを選択するステップと、を備える、
ことを特徴とする請求項６に記載のＡＳＰ処理管理方法。
【請求項８】
文書プロファイルが存在するかどうかを判別する前記ステップは、文書プロファイルが存在するかどうかを判別するステップを実行する処理デバイスに対してローカルなメモリを検索することにより、文書プロファイルが確実に存在することを決定する、
ことを特徴とする請求項２に記載のＡＳＰ処理管理方法。
【請求項９】
文書マネジャーインターフェーススクリーンを送信する前記ステップは、文書タイプメニューを含むインターフェーススクリーンを送信する、
ことを特徴とする請求項８に記載のＡＳＰ処理管理方法。
【請求項１０】
前記文書タイプメニューへのユーザ入力に基づいて、前記通信ネットワークを介して、前記ユーザからの文書タイプ選択を受信するステップをさらに備える、
ことを特徴とする請求項９に記載のＡＳＰ処理管理方法。
【請求項１１】
ＡＳＰを選択する前記ステップは、受信した前記文書タイプ選択と共に利用される典型的サービスを実行する基本ＡＳＰを選択する、
ことを特徴とする請求項１０に記載のＡＳＰ処理管理方法。
【請求項１２】
受信した前記文書タイプ選択に基づいて文書プロファイルを生成するステップと、
前記文書プロファイルをユーザ識別子に対応させてローカルメモリに記憶するステップと、をさらに備える、
ことを特徴とする請求項１０に記載のＡＳＰ処理管理方法。
【請求項１３】
ＡＳＰ処理要求を受信する前記ステップは、前記ユーザから文書相談要求を受信する、
ことを特徴とする請求項１に記載のＡＳＰ処理管理方法。
【請求項１４】
前記文書相談要求の受信に応答して、前記通信ネットワークを介して文書タイプメニューを含む文書マネジャーインターフェーススクリーンを前記ユーザに送信するステップと、
前記文書タイプメニューへのユーザ入力から文書タイプ選択を生成するステップと、
前記通信ネットワークを介して、前記文書タイプ選択を受信するステップと、をさらに備える、
ことを特徴とする請求項１３に記載のＡＳＰ処理管理方法。
【請求項１５】
ＡＳＰを選択する前記ステップは、受信した前記文書タイプ選択と共に利用されるサービスを実行する基本ＡＳＰを選択する、
ことを特徴とする請求項１４に記載のＡＳＰ処理管理方法。
【請求項１６】
受信した前記文書タイプ選択に基づいて文書プロファイルを生成するステップと、
前記文書プロファイルをユーザ識別子に対応させてローカルメモリに記憶するステップと、をさらに備える、
ことを特徴とする請求項１５に記載のＡＳＰ処理管理方法。
【請求項１７】
コンピュータシステム上で実行するための指令を含むプログラムであって、
前記コンピュータシステムにより実行されるとき、当該コンピュータシステムに請求項１乃至１６のいずれか１項に記載するステップを実行させる、
ことを特徴とするコンピュータプログラム。
【請求項１８】
ＡＳＰ及びＡＳＰユーザの間でのアプリケーションサービスプロバイダ（ＡＳＰ）処理の管理に関連するデータを包含するメモリデバイスと、
通信ネットワークを介して前記ユーザからＡＳＰ処理要求を受信し、前記処理要求を処理するＡＳＰを選択し、前記通信ネットワークを介して前記選択されたＡＳＰに前記処理要求を実行する指令を送信するように構成され、前記メモリデバイスと通信するプロセッサと、
を備えることを特徴とするシステム。
【請求項１９】
前記プロセッサは、前記ユーザからユーザ識別子を受信することによりＡＳＰ処理要求を受信し、さらに、前記受信したユーザ識別子に対する文書プロファイルが存在するかどうかを判別し、文書プロファイルが存在するかどうかの前記判別に基づいて前記ユーザに文書マネジャーインターフェーススクリーンを送信するように構成される、
ことを特徴とする請求項１８に記載のシステム。
【請求項２０】
前記プロセッサは、文書プロファイルが存在するかどうかを判別するステップを実行する処理デバイスに対してローカルなメモリに、前記ユーザ識別子に対応する文書プロファイルを配置して、文書プロファイルが確実に存在することを決定することにより文書プロファイルが存在するかどうかを判別するように構成される、
ことを特徴とする請求項１９に記載のシステム。
【請求項２１】
前記メモリに配置される前記文書プロファイルを掲示する文書プロファイルメニューを含むインターフェーススクリーンを送信することにより文書マネジャーインターフェースクリーンを送信するように構成される、
ことを特徴とする請求項２０に記載のシステム。
【請求項２２】
前記プロセッサは、さらに、前記文書プロファイルメニューへのユーザ入力に基づいて前記通信ネットワークを介して前記ユーザから文書プロファイル選択を受信するように構成される、
ことを特徴とする請求項２１に記載のシステム。
【請求項２３】
前記プロセッサは、受信した前記文書プロファイル選択を使用して基本ＡＳＰを選択することによりＡＳＰを選択するように構成される、
ことを特徴とする請求項２２に記載のシステム。
【請求項２４】
前記プロセッサは、
受信した文書プロファイル選択を使用して文書タイプを決定し、
前記文書タイプと共に利用されるサービスを実行する基本ＡＳＰを選択することにより、前記基本ＡＳＰを選択するように構成される、
ことを特徴とする請求項２３に記載のシステム。
【請求項２５】
前記プロセッサは、メモリを検索して文書プロファイルが確実に存在しないことを決定することにより文書プロファイルが存在するかどうかを決定するように構成される、
ことを特徴とする請求項１９に記載のシステム。
【請求項２６】
前記プロセッサは、文書タイプメニューを含むインターフェーススクリーンを送信することにより文書マネジャーインターフェーススクリーンを送信するように構成される、
ことを特徴とする請求項２５に記載のシステム。
【請求項２７】
前記プロセッサは、前記文書タイプメニューへのユーザ入力に基づいて前記通信ネットワークを介して前記ユーザから文書タイプ選択を受信するように構成される、
ことを特徴とする請求項２６に記載のシステム。
【請求項２８】
前記プロセッサは、受信した前記文書タイプ選択に基づいて文書プロファイルを生成し、前記メモリにユーザ識別子と対応させて前記文書プロファイルを記憶するように構成される、
ことを特徴とする請求項２７に記載のシステム。
【請求項２９】
前記プロセッサは、前記ユーザから文書相談要求を受信することによりＡＳＰ処理要求を受信するように構成される、
ことを特徴とする請求項１８に記載のシステム。
【請求項３０】
前記プロセッサは、さらに、前記文書相談要求に応答して前記通信ネットワークを介して前記ユーザに文書タイプメニューを含む文書マネジャーインターフェーススクリーンを送信し、前記文書タイプメニューへのユーザ入力から文書タイプ選択を生成し、前記通信ネットワークを介して前記文書タイプ選択を受信するように構成される、
ことを特徴とする請求項２９に記載のシステム。
【請求項３１】
通信ネットワークを介してユーザからのアプリケーションサービスプロバイダ（ＡＳＰ）処理要求を受信する手段と、
前記処理要求を実行するＡＳＰを選択する手段と、
前記通信ネットワークを介して前記選択されたＡＳＰに、前記処理要求を実行する指令を送信する手段と、
を備えることを特徴とするＡＳＰ及びＡＳＰユーザ間でのＡＳＰ処理の管理システム。
【請求項３２】
ＡＳＰ処理要求を受信する前記手段は、前記ユーザからユーザ識別子を受信し、受信した前記ユーザ識別子に対して文書プロファイルが存在するかどうかを判別する手段と、
文書プロファイルが存在するかどうかの前記判別に基づいて前記ユーザに文書マネジャーインターフェーススクリーンを送信する手段と、をさらに備える、
ことを特徴とする請求項３１に記載の管理システム。
【手続補正２】
【補正対象書類名】明細書
【補正対象項目名】００１４
【補正方法】変更
【補正の内容】
【００１４】
上記目的を達成するため、本発明の第２の観点に係るコンピュータプログラムは、
コンピュータシステム上で実行するための指令を含むプログラムであって、
前記コンピュータシステムにより実行されるとき、当該コンピュータシステムに請求項１乃至１６のいずれか１項に記載するステップを実行させる、
ことを特徴とする。